(57)【特許請求の範囲】
【請求項１】
（ａ）複数本の端子を備えるハウジングに取付けられ、前記端子の周囲を取囲む筒状のコネクタ用シールドケースであって、
（ｂ）所定形状に形成された金属板を屈曲して形成され、
（ｃ）天板部と、
（ｄ）該天板部の両側端に接続され、下方に延在する側壁部と、
（ｅ）該側壁部に接続され、下方に延在する実装用突出脚部と、
（ｆ）両端が前記側壁部に接続された底板支持部と、
（ｇ）該底板支持部に屈曲部を介して接続された前記天板部と平行な底板部とを有し、
（ｈ）該底板部は、前記屈曲部を形成する前の状態において、前後方向に関して前記実装用突出脚部と異なる位置に形成され、前記屈曲部を形成することによって、前後方向に関して前記実装用突出脚部の少なくとも一つと同じ位置を含む範囲に存在し、
（ｉ）前記底板支持部は、前後方向に延在し、前記底板部より幅が狭い補強部を備え、
（ｊ）該補強部は、前記屈曲部を形成する前の状態において、前後方向に関して前記実装用突出脚部に対応する位置に形成され、前記屈曲部を形成することによって、前記底板部の上に位置し、その先端が前記底板部の先端と嵌合することを特徴とするコネクタ用シールドケース。
【請求項２】
（ａ）前記底板部は、前記屈曲部を形成する前の状態において、前後方向に関して前記底板支持部より前方に形成され、
（ｂ）前記屈曲部は、前記底板部を底板支持部に対して外向きに屈曲させることによって形成される請求項１に記載のコネクタ用シールドケース。
【請求項３】
（ａ）前記底板部は、弾性的に変形して相手方コネクタをロックするロック部を備え、
（ｂ）該ロック部は、先端が前記補強部の上面より上方に突出して前記相手方コネクタをロックする請求項２に記載のコネクタ用シールドケース。
【請求項４】
（ａ）前記底板部は先端に位置決凹部を備え、
（ｂ）前記補強部は、前記位置決凹部に嵌入される位置決凸部を先端に備える請求項２に記載のコネクタ用シールドケース。
【請求項５】
（ａ）前記ハウジングは係止凹部を備え、
（ｂ）前記底板部の先端は前記係止凹部に係止される請求項４に記載のコネクタ用シールドケース。
【請求項６】
前記実装用突出脚部は前記側壁部と同一面を形成する請求項１〜５のいずれか１項に記載のコネクタ用シールドケース。
【発明の詳細な説明】
【技術分野】
【０００１】
本発明は、コネクタ用シールドケースに関するものである。
【背景技術】
【０００２】
従来、ケーブル等の電線をプリント回路基板等の回路基板に接続するために電線の端部に接続されたプラグコネクタと嵌（かん）合するレセプタクルコネクタが使用され、該レセプタクルコネクタには、金属製板部材から成るシールドケースが本体の周囲に取付けられるようになっている（例えば、特許文献１参照。）。
【０００３】
図１１は従来のレセプタクルコネクタの斜視図である。
【０００４】
図において、３０１は図示されない回路基板に実装されるレセプタクルコネクタであり、端子３０６を保持するハウジング３０２と、該ハウジング３０２を包囲する角筒状のシールドケース３０３とを有する。該シールドケース３０３は、打抜加工によって所定の展開形状に形成された一枚の金属板を、更に屈曲成形することによって角筒状に形成されたものであり、接合部３０４において展開形状の金属板の両端が接合されている。この場合、屈曲部３０８において弾性ロック片３０７を内方へ折曲げた後に、前記金属板を角筒状に形成する。前記弾性ロック片３０７は、図示されないプラグコネクタのロック凹部と係合して嵌合されたプラグコネクタをロックするための部材である。
【０００５】
さらに、シールドケース３０３の底部両側端には、下方に延在する実装用の突出脚部３０５が形成されている。該突出脚部３０５は、図示されない回路基板に形成された貫通孔（こう）に挿入され、はんだ付けされるようになっている。これにより、レセプタクルコネクタ３０１は回路基板に固定されて実装される。
【特許文献１】特開２００４−１９２８３８号公報
【発明の開示】
【発明が解決しようとする課題】
【０００６】
しかしながら、前記従来のシールドケース３０３においては、突出脚部３０５の長さを十分に長くすることができず、レセプタクルコネクタ３０１の回路基板への実装強度が低くなってしまうことがある。これは、所定の展開形状に形成された一枚の金属板を屈曲成形することによってシールドケース３０３を構成するためである。すなわち、突出脚部３０５は、屈曲成形前の展開形状において、シールドケース３０３の底部に両側から食込むように形成され、その後、底部両側縁に沿って金属板を屈曲させることによって、底部に対して垂直になるように構成されている。そのため、突出脚部３０５の形成可能な最大長は、底部の幅によって制限される。
【０００７】
特に、インターフェイス規格等によって、底部にロック用の部材を形成することが規定されている場合には、突出脚部３０５の形成可能な最大長は更に制限されるので、突出脚部３０５が回路基板に形成された貫通孔を貫通することができなくなる可能性がある。このような場合、突出脚部３０５が回路基板の裏面に突出しないので、十分なはんだ付を行うことができず、レセプタクルコネクタ３０１の回路基板への実装強度が低くなってしまう。
【０００８】
もっとも、図に示されるレセプタクルコネクタ３０１では、展開形状に形成された金属板を屈曲部３０８において内方へ折曲げることによって弾性ロック片３０７を構成しているので、突出脚部３０５の長さをある程度確保することができる。しかし、前記屈曲部３０８近傍以外の部分においては、底部の広範囲に亘（わた）って底板が省略されている。そのため、シールドケース３０３は、十分なシールド効果を発揮することができなくなってしまう。また、強度の面においても、十分な強度を確保することが困難である。
【０００９】
本発明は、前記従来の問題点を解決して、所定形状に形成された金属板を屈曲して筒状のシールドケースを形成する際に、前記金属板の一部を外向きに屈曲させることによってシールドケースの底板部を形成するようにして、十分な長さの実装用突出脚部を備え、高い実装強度を得ることができ、さらに、底板部によって十分なシールド効果を発揮することができるとともに、十分な強度を確保することができるコネクタ用シールドケースを提供することを目的とする。
【課題を解決するための手段】
【００１０】
そのために、本発明のコネクタ用シールドケースにおいては、複数本の端子を備えるハウジングに取付けられ、前記端子の周囲を取囲む筒状のコネクタ用シールドケースであって、所定形状に形成された金属板を屈曲して形成され、天板部と、該天板部の両側端に接続され、下方に延在する側壁部と、該側壁部に接続され、下方に延在する実装用突出脚部と、両端が前記側壁部に接続された底板支持部と、該底板支持部に屈曲部を介して接続された前記天板部と平行な底板部とを有し、該底板部は、前記屈曲部を形成する前の状態において、前後方向に関して前記実装用突出脚部と異なる位置に形成され、前記屈曲部を形成することによって、前後方向に関して前記実装用突出脚部の少なくとも一つと同じ位置を含む範囲に存在し、前記底板支持部は、前後方向に延在し、前記底板部より幅が狭い補強部を備え、該補強部は、前記屈曲部を形成する前の状態において、前後方向に関して前記実装用突出脚部に対応する位置に形成され、前記屈曲部を形成することによって、前記底板部の上に位置し、その先端が前記底板部の先端と嵌合する。
【００１３】
本発明の更に他のコネクタ用シールドケースにおいては、さらに、前記底板部は、前記屈曲部を形成する前の状態において、前後方向に関して前記底板支持部より前方に形成され、前記屈曲部は、前記底板部を底板支持部に対して外向きに屈曲させることによって形成される。
【００１４】
本発明の更に他のコネクタ用シールドケースにおいては、さらに、前記底板部は、弾性的に変形して相手方コネクタをロックするロック部を備え、該ロック部は、先端が前記補強部の上面より上方に突出して前記相手方コネクタをロックする。
【００１５】
本発明の更に他のコネクタ用シールドケースにおいては、さらに、前記底板部は先端に位置決凹部を備え、前記補強部は、前記位置決凹部に嵌入される位置決凸部を先端に備える。
【００１６】
本発明の更に他のコネクタ用シールドケースにおいては、さらに、前記ハウジングは係止凹部を備え、前記底板部の先端は前記係止凹部に係止される。
【００１７】
本発明の更に他のコネクタ用シールドケースにおいては、さらに、前記実装用突出脚部は前記側壁部と同一面を形成する。
【発明の効果】
【００１８】
本発明によれば、コネクタ用シールドケースは、所定形状に形成された金属板を屈曲して筒状のシールドケースを形成する際に、前記金属板の一部を外向きに屈曲させることによってシールドケースの底板部を形成するようになっている。そのため、十分な長さの実装用突出脚部を備え、高い実装強度を得ることができ、さらに、底板部によって十分なシールド効果を発揮することができるとともに、十分な強度を確保することができる。
【発明を実施するための最良の形態】
【００１９】
以下、本発明の実施の形態について図面を参照しながら詳細に説明する。
【００２０】
図１は本発明の実施の形態におけるコネクタ用シールドケースがハウジングに取付けられた状態を示す斜視図、図２は本発明の実施の形態におけるコネクタ用シールドケースがハウジングに取付けられた状態を示す側断面図である。
【００２１】
図において、５０は本実施の形態におけるコネクタであり、合成樹脂等の絶縁性材料によって一体的に形成されたハウジング３０、及び、導電性の金属板から成るコネクタ用シールドケース１０を有する。そして、前記コネクタ５０は、例えば、テレビ、ビデオレコーダ、ＤＶＤレコーダ、パーソナルコンピュータ等の電子機器が備える回路基板に実装され、図示されない相手側コネクタと嵌合され、前記回路基板と相手側コネクタに接続されたケーブルとを電気的に接続する。なお、該ケーブルは、電力又は電気信号を伝送するケーブルであればいかなる種類のものであってもよいが、ここでは、次世代テレビ向けのデジタルインターフェイス規格であるＨＤＭＩ（Ｒ）（Ｈｉｇｈ−Ｄｅｆｉｎｉｔｉｏｎ  Ｍｕｌｔｉｍｅｄｉａ  Ｉｎｔｅｒｆａｃｅ）に準拠したケーブルであるものとして説明する。そして、コネクタ５０もＨＤＭＩ（Ｒ）に準拠したコネクタであるものとして説明する。
【００２２】
また、本実施の形態において、コネクタ５０、ハウジング３０及びコネクタ用シールドケース１０の各部の構成及び動作を説明するために使用される上、下、左、右、前、後等の方向を示す表現は、絶対的なものでなく相対的なものであり、コネクタ５０、ハウジング３０及びコネクタ用シールドケース１０が図に示される姿勢である場合に適切であるが、コネクタ５０、ハウジング３０及びコネクタ用シールドケース１０の姿勢が変化した場合には姿勢の変化に応じて変更して解釈されるべきものである。
【００２３】
ここで、前記コネクタ用シールドケース１０は、一枚の金属板から成り、打抜きによって所定の形状に形成された一枚の金属板を更に所定箇所で屈曲することにより、角筒状に形成される。前記コネクタ用シールドケース１０は、コネクタ５０の外形を規定し、一方（図２における左方）の開口が相手方コネクタが挿入されるコネクタ５０の挿入口として機能する。前記相手方コネクタは、前後方向（図２における左右方向）に相対的に移動することによって、コネクタ５０に抜差しされる。
【００２４】
そして、前記コネクタ用シールドケース１０は、天板部１１、側壁部１２、前方実装用突出脚部１５ａ、後方実装用突出脚部１５ｂ、連結腕部１６、筐（きょう）体取付用突部１９、底板部２１及び底板支持部２５を有する。前記天板部１１は概略矩（く）形の平板状の部材であり、該天板部１１の両側端には、下方に延在する側壁部１２が直角の折曲部を介して接続されている。また、コネクタ５０の挿入口側に位置する天板部１１の側縁には、上方に延在する筐体取付用突部１９が直角の折曲部を介して接続されている。前記筐体取付用突部１９は、コネクタ５０が前記電子機器の筐体の近傍に実装された場合に、コネクタ５０を筐体に固定する部材であり、ビス、ボルト等の取付部材が挿入される取付部材挿入孔１９ａを備える。なお、前記筐体取付用突部１９は、筐体に固定する必要がないような場合には、適宜省略することができる。
【００２５】
また、前記側壁部１２は、挿入口から挿入されてコネクタ５０と嵌合した相手方コネクタのシールドケースを両側から把持するための把持用突出片１７を備える。該把持用突出片１７は、基部が側壁部１２に接続され、先端が自由端となって側壁部１２の内面よりもコネクタ用シールドケース１０の内方に向けて突出したカンチレバー状の弾性を備える部材であり、相手方コネクタのシールドケースを両側から弾性的に把持する。
【００２６】
さらに、前記側壁部１２の下端縁には、下方に延在する前方実装用突出脚部１５ａ及び後方実装用突出脚部１５ｂが平板状の脚接続部１４を介して接続されている。前記前方実装用突出脚部１５ａ及び後方実装用突出脚部１５ｂは、コネクタ５０を回路基板に固定するための部材であり、前記回路基板に形成された貫通孔に挿入され、はんだ付等によって固定されるようになっている。なお、前記前方実装用突出脚部１５ａ及び後方実装用突出脚部１５ｂを統合的に説明する場合には、実装用突出脚部１５として説明する。該実装用突出脚部１５は、側壁部１２と同一面を形成するように、途中で屈曲されることなく、側壁部１２の下端縁から真っ直ぐになっていることが望ましい。これは、途中で屈曲されていると、その部分において曲がりやすくなり、強度が低下してしまうからである。なお、図示される例において、実装用突出脚部１５はコネクタ５０の左右に二本ずつ配設されているが、実装用突出脚部１５の数及び位置は、回路基板に形成された貫通孔の数、位置等に適合するように、適宜変更することができる。
【００２７】
また、前記側壁部１２の下端縁における挿入口側の端部には、コネクタ用シールドケース１０の内方に向けて斜め下方に延在する連結腕部１６が接続されている。そして、左右の連結腕部１６の接続されている側壁部１２側の端部と反対側の端部には、底板支持部２５の両端が接続されている。さらに、前記底板支持部２５の挿入口側の側縁には、屈曲部としての外向屈曲部２７を介して底板部２１が接続されている。該底板部２１は、図２に示されるように、底板支持部２５の下側に位置し、外向屈曲部２７から挿入口と反対方向、すなわち、コネクタ５０の奥方に向けて天板部１１と平行に延在する。また、前記底板部２１の先端、すなわち、コネクタ５０の奥側端には、斜め上方を向くような傾斜部２１ａが形成されている。
【００２８】
さらに、前記底板部２１は、挿入口から挿入されてコネクタ５０と嵌合した相手方コネクタのシールドケースをロックするためのロック部２２を備える。該ロック部２２は、基部が底板部２１に接続され、先端が自由端となって底板支持部２５の上面よりもコネクタ用シールドケース１０の内方に向けて突出したカンチレバー状の弾性を備える部材であり、相手方コネクタのシールドケースに形成された図示されない係合用凹部と係合して、相手方コネクタのシールドケースをロックする。そして、ロック部２２の先端には係合用の膨出部が形成され、該膨出部が相手方コネクタのシールドケースの係合用凹部と係合するようになっている。
【００２９】
なお、前記底板部２１及び底板支持部２５の中心には、接合部２３が前後方向に延在する。前述のように所定の形状に形成された一枚の金属板を屈曲して両端を接合することによって、前記接合部２３が生じる。そして、前記金属板の一方の端部には複数の凸状部を形成し、他方の端部には凸状部に対応する複数の凹状部を形成し、前記凸状部と凹状部とを係合させた後、かしめることによって複数のかしめ部２３ａを構成する。該かしめ部２３ａによって、前記接合部２３における金属板の両端部の接合が強固なものにされている。
【００３０】
また、前記ハウジング３０は、奥壁部３１、舌部３２及び下腕部３３を有する。前記奥壁部３１は、コネクタ用シールドケース１０が形成する角筒の断面と同形の厚板状の部材であり、前記角筒内に挿入されてコネクタ用シールドケース１０に固定され、コネクタ５０の挿入口と反対側の開口を閉止する壁部材として機能する。また、前記舌部３２は、奥壁部３１から挿入口に向けて突出し、横方向（図２における左右方向）に板状の部材であり、上面及び下面に前後方向に延在する複数の凹溝が形成されている。
【００３１】
そして、前記舌部３２の凹溝には、導電性の金属から成る端子４１の本体部が収容されている。該本体部は、奥壁部３１に形成された端子挿入孔３１ａに挿入され、先端（図２における左端）が挿入口に向けて延在するように配設される。また、端子４１は、図２に示されるように、クランク状の側面形状を備え、前後方向に延在する本体部の後端（図２における右端）に下方向に延在する連結部４２が接続され、さらに、該連結部４２の下端に前後方向に延在するテール部４３が接続されている。そして、前記連結部４２は、奥壁部３１の後壁に沿って配設され、該後壁に形成された端子支持部３１ｂによって支持される。また、前記テール部４３の下面は、コネクタ５０の下面とほぼ同一面となっていて、回路基板上に形成された図示されない金属製の接続パッドにはんだ付等によって固定される。これにより、端子４１は、接続パッドに接続された回路基板の導電トレースと電気的に接続される。
【００３２】
なお、図２には、舌部３２の上面に形成された凹溝に収容される端子４１のみが示されており、舌部３２の下面に形成された凹溝に収容される端子４１は図示が省略されている。舌部３２の下面に形成された凹溝に収容される端子４１は、連結部４２の長さが短くなっている点を除いて、舌部３２の上面に形成された凹溝に収容される端子４１と同様の構成を有するものである。
【００３３】
また、前記奥壁部３１の前面の下端には係止凹部３４が形成されている。そして、該係止凹部３４内には、底板部２１の先端に形成された傾斜部２１ａが挿入されて係止される。これにより、外向屈曲部２７から挿入口と反対方向に向けて延在する底板部２１は、先端が奥壁部３１によって支持されるので、その姿勢が安定する。
【００３４】
さらに、該奥壁部３１の両側端の下端には、挿入口に向けて延在する下腕部３３が接続されている。該下腕部３３は、コネクタ用シールドケース１０の側壁部１２と底板部２１との間の開放部分を閉止する。さらに、前記コネクタ用シールドケース１０は、コネクタ５０の挿入口と反対側に位置する天板部１１の側縁に形成された上部係止爪（つめ）１８、及び、コネクタ５０の挿入口と反対側に位置する側壁部１２の側縁に形成された後述される側部係止爪１３を有する。そして、前記上部係止爪１８及び側部係止爪１３は、奥壁部３１と係止することによって、コネクタ用シールドケース１０及びハウジング３０の結合を確実なものとする。
【００３５】
次に、前記コネクタ用シールドケース１０の構成を詳細に説明する。
【００３６】
図３は本発明の実施の形態におけるコネクタ用シールドケースを挿入口側から観た斜視図、図４は本発明の実施の形態におけるコネクタ用シールドケースを挿入口と反対側から観た斜視図、図５は本発明の実施の形態におけるコネクタ用シールドケースの側断面図、図６は本発明の実施の形態におけるコネクタ用シールドケースの下面図である。
【００３７】
図３〜６は、図１及び２に示されるようなコネクタ５０からハウジング３０及び端子４１を除去した状態のコネクタ用シールドケース１０を示している。そのため、図４に示されるように、天板部１１に形成された上部係止爪１８、及び、側壁部１２に形成された側部係止爪１３は、曲げられてハウジング３０に係止している状態となっている。
【００３８】
そして、図３及び４に示されるように、底板支持部２５は、コネクタ５０の奥方に向けて天板部１１及び底板部２１と平行に延在する補強部２５ａを備える。該補強部２５ａは、底板部２１よりも幅が狭い細長の板状部材であり、底板部２１に形成された二つのロック部２２の間を通り、コネクタ５０の奥方に向けて延在する。そのため、補強部２５ａは、その基部が底板支持部２５の中央部近傍にのみ接続されるように形成されている。なお、接合部２３は、補強部２５ａの幅方向の中心を通るように延在する。
【００３９】
また、該補強部２５ａの先端には幅方向の中心部から突出するように位置決凸部２５ｂが形成され、更に、該位置決凸部２５ｂの両側から側方へ延在するように幅広部２５ｃが形成されている。なお、底板部２１の先端に形成された傾斜部２１ａの幅方向の中心部には、図４及び６に示されるように、位置決凹部２４が形成されている。そして、前記位置決凸部２５ｂは位置決凹部２４に嵌入される。これにより、底板部２１の先端及び補強部２５ａの先端の横方向、すなわち、幅方向に関する相互の位置決めが行われる。また、幅広部２５ｃの先端縁は傾斜部２１ａに当接する。これにより、底板部２１の先端及び補強部２５ａの先端の前後方向、すなわち、長手方向に関する相互の位置決めが行われる。そのため、底板部２１は、強度が向上し、姿勢が安定する。
【００４０】
さらに、底板部２１は、前後方向に関して前方実装用突出脚部１５ａと同じ位置を含む範囲に存在している。そのため、底板部２１の幅及び前後方向の長さ寸法が十分に大きいので、十分なシールド効果を得ることができる。さらに、必要に応じて、底板部２１の前後方向の長さ寸法を長くして、底板部２１が前後方向に関して後方実装用突出脚部１５ｂと同じ位置をも含む範囲に存在するようにしてもよい。
【００４１】
なお、補強部２５ａの上面は、挿入された相手方コネクタのシールドケースの底面と当接して該底面をガイドするガイド面として機能する。そして、図５に示されるように、ロック部２２の膨出部は、補強部２５ａの上面より上方に突出して相手方コネクタのシールドケースの係合用凹部と係合する。ここで、相手方コネクタを抜差しする際には、相手方コネクタのシールドケースの底面によって膨出部が下方に押されるので、ロック部２２は下方に移動させられる。しかし、補強部２５ａによって相手方コネクタのシールドケースの底面が底板部２１から離れているので、膨出部が下方に押されても、ロック部２２の一部が底板部２１の下面より下方に突出せず、たわみ長が確保できる。すなわち、補強部２５ａによってコネクタ用シールドケース１０の底上げがなされた状態となっているので、ロック部２２が上下動する領域を金属板の厚さ二枚分以上にできるため、ロック部２２の一部がコネクタ用シールドケース１０の外部に突出することがない。また、コネクタ用シールドケース１０の底上げをするために、ハウジング３０の一部を底板部２１上に延在させる必要もない。
【００４２】
次に、外向屈曲部２７を形成する前のコネクタ用シールドケース１０の構成を説明する。
【００４３】
図７は本発明の実施の形態におけるコネクタ用シールドケースの屈曲が行われる前の状態を示す展開図、図８は本発明の実施の形態におけるコネクタ用シールドケースの外向屈曲部を形成する前の状態を示す斜視図、図９は本発明の実施の形態におけるコネクタ用シールドケースの外向屈曲部を形成する前の状態を示す側断面図、図１０は本発明の実施の形態におけるコネクタ用シールドケースの外向屈曲部を形成する前の状態を示す下面図である。
【００４４】
図７は、コネクタ用シールドケース１０の展開図であり、屈曲が行われる前の状態であって、打抜きによって所定の形状に形成された金属板を示している。また、図８〜１０は、底板支持部２５の挿入口側の側縁を屈曲して底板部２１の先端をコネクタ５０の奥方に向ける前の状態を示している。なお、図１０に示される線２７ａは、外向屈曲部２７を形成する位置を示している。また、図７〜１０において、筐体取付用突部１９は、説明の都合上、図示が省略されている。さらに、天板部１１に形成された上部係止爪１８及び側壁部１２に形成された側部係止爪１３は、曲げられる前の状態となっている。
【００４５】
そして、図８〜１０に示される状態から、底板部２１を線２７ａに沿って外向き（図９における下向き）に屈曲させることによって、図１〜６に示されるように、外向屈曲部２７を介して底板支持部２５の挿入口側の側縁に接続され、コネクタ５０の奥方に向けて天板部１１と平行に延在する底板部２１を得ることができる。
【００４６】
また、図７、８及び１０に示されるように、補強部２５ａの両側には、部材の存在しない空スペース２８が形成されている。ここで、図７に示されるようなコネクタ用シールドケース１０の展開図をみると、屈曲が行われる前の状態、すなわち、コネクタ用シールドケース１０が打抜きによって所定の形状に形成された金属板であったときには、前記空スペース２８のうちのかなりの空間を脚接続部１４及び実装用突出脚部１５が専有していたことが分かる。そして、コネクタ用シールドケース１０が打抜きによって所定の形状に形成された金属板であったときには、接合部２３が存在せず、補強部２５ａは両側に分かれ、実装用突出脚部１５よりも外側に位置していたことが分かる。
【００４７】
この場合、図６に示されるように、前記所定の形状に形成された金属板の幅方向の両端には補強部２５ａが位置し、前記所定の形状に形成された金属板の幅寸法は、左右の補強部２５ａの端から端までの寸法である。そして、前記所定の形状に形成された金属板の幅寸法は、図３に示されるようなコネクタ用シールドケース１０の挿入口の周長に一致し、ＨＤＭＩ（Ｒ）に準拠するコネクタ５０の外形寸法によって規定される。
【００４８】
そのため、実装用突出脚部１５の長さを長く設定する場合には、補強部２５ａの幅を狭くする必要があることが分かる。そして、本実施の形態においては、前述のように、補強部２５ａが、底板部２１よりも幅が狭い細長の板状部材として形成されているので、実装用突出脚部１５の長さを長く設定することができる。これにより、該実装用突出脚部１５のコネクタ５０の下面からの突出量を十分に大きくすることができ、回路基板の板厚が厚い場合であっても、回路基板の挿入口に挿入された実装用突出脚部１５の先端が回路基板の裏面から大きく突出した状態とすることができる。そのため、実装用突出脚部１５を回路基板に確実にはんだ付けすることができ、コネクタ５０の回路基板への実装強度を高くすることができる。
【００４９】
仮に、補強部２５ａの位置に底板部２１が存在する場合、すなわち、該底板部２１を外向きに屈曲させるようにせず、コネクタ５０の奥方に向けて延在するように底板支持部２５に直接接続させる場合、前記展開形状に形成された金属板の幅方向の両端には、左右に分かれた底板部２１が位置することになる。この場合、該底板部２１にはロック部２２が形成されているので、底板部２１自体の幅を狭くすることが困難である。また、コネクタ５０がＨＤＭＩ（Ｒ）に準拠しているので、ロック部２２の幅方向に関する位置を変更することができず、該ロック部２２の位置を変更することによって、底板部２１の幅を狭くすることは不可能である。そのため、実装用突出脚部１５の長さを長く設定することができず、該実装用突出脚部１５のコネクタ５０の下面からの突出量を十分に大きくすることができなくなってしまう。
【００５０】
これに対して、本実施の形態においては、図８〜１０に示されるように、外向屈曲部２７を形成する前の状態において、前後方向に関して、底板部２１が実装用突出脚部１５の位置と異なる位置になるように形成されている。そのため、実装用突出脚部１５の長さは、底板部２１の幅方向の寸法と無関係に設定することができる。例えば、図７において、実装用突出脚部１５の先端を底板部２１の端辺２１ｂよりも外側若しくはほぼ同等に位置させることができる。これにより、実装用突出脚部１５の長さを長く設定することができ、コネクタ５０の下面からの突出量を十分に大きくすることができる。
【００５１】
このことは、コネクタ５０がＨＤＭＩ（Ｒ）に準拠するものでなく、底板部２１にロック部２２が形成されていない場合にも当て嵌（は）まる。例えば、コネクタ５０の幅寸法が比較的狭く設定されている場合、前述のように補強部２５ａの位置に底板部２１が存在すると、底板部２１の幅が狭くても、実装用突出脚部１５の長さを十分な長さに設定することができない。これに対して、外向屈曲部２７を形成する前の状態において、前後方向に関して、底板部２１が実装用突出脚部１５の位置と異なる位置になるように形成されていると、実装用突出脚部１５の長さは、底板部２１の幅方向の寸法と無関係に設定することができるので、十分な長さに設定することができる。また、例えば、シールド効果を高くするために、底板部２１の幅を広くする必要がある場合も同様である。
【００５２】
また、以上のことは、接合部２３が底板部２１及び補強部２５ａに存在しない場合にも当て嵌まる。例えば、接合部２３が天板部１１を通るように延在している場合にも当て嵌まる。この場合、コネクタ用シールドケース１０が打抜きによって所定の形状に形成された金属板であった状態では、該金属板の幅方向の中心に一体的に形成された底板部２１及び補強部２５ａが位置し、該補強部２５ａの両側に実装用突出脚部１５が位置することになる。そして、前記所定の形状に形成された金属板の幅寸法は、コネクタ用シールドケース１０の挿入口の周長に一致し、コネクタ５０の外形寸法によって規定される。また、前記所定の形状に形成された金属板の幅方向の両端には、左右に分かれた天板部１１が位置し、前記所定の展開形状に形成された金属板の幅寸法は、左右の天板部１１の端から端までの寸法である。この場合でも、接合部２３が底板部２１及び補強部２５ａに存在する場合と同様に、補強部２５ａの幅が狭ければ、実装用突出脚部１５の長さを長く設定できる。
【００５３】
なお、底板部２１の強度が十分に高く、補強部２５ａを省略することができる場合であって、接合部２３が底板部２１及び補強部２５ａに存在する場合には、実装用突出脚部１５の長さをいくらでも長く設定することができる。この場合、コネクタ用シールドケース１０が打抜きによって所定の形状に形成された金属板であったときに、実装用突出脚部１５より外側に何も位置していないので、実装用突出脚部１５の長さが制限されることがない。そのため、実装用突出脚部１５の長さは、他の部材の存在によって制限されることがなく、任意に設定することができる。
【００５４】
このように、本実施の形態において、コネクタ用シールドケース１０は、所定形状に形成された金属板を屈曲して形成されたものであり、天板部１１と、該天板部１１の両側端に接続され、下方に延在する側壁部１２と、該側壁部１２に接続され、下方に延在する実装用突出脚部１５と、両端が側壁部１２に接続された底板支持部２５と、該底板支持部２５に外向屈曲部２７を介して接続された天板部１１と平行な底板部２１とを有し、該底板部２１は、外向屈曲部２７を形成する前の状態において、前後方向に関して実装用突出脚部１５と異なる位置に形成され、外向屈曲部２７を形成することによって、前後方向に関して、少なくとも前方実装用突出脚部１５ａと同じ位置を含む範囲に存在するようになっている。
【００５５】
そのため、実装用突出脚部１５の長さは、底板部２１の幅方向の寸法と無関係に設定することができるので、長く設定することができ、コネクタ５０の下面からの突出量を十分に大きくすることができる。これにより、実装用突出脚部１５のコネクタ５０の下面からの突出量を十分に大きくすることができ、回路基板の板厚が厚い場合であっても、回路基板の挿入口に挿入された実装用突出脚部１５の先端が回路基板の裏面から大きく突出した状態とすることができる。その結果、実装用突出脚部１５を回路基板に確実にはんだ付けすることができ、コネクタ５０の回路基板への実装強度を高くすることができる。
【００５６】
また、底板部２１の幅及び前後長さの寸法を十分に長くすることができるので、底板部２１による十分なシールド効果を得ることができる。さらに、底板部２１の幅及び前後長さの寸法を十分に長くすることによって、筒状のコネクタ用シールドケース１０の強度を向上させることができる。さらに、コネクタ用シールドケース１０の底面に大きな隙（すき）間が生じることがないので、挿入された相手方コネクタに外力が加えられた場合でも、相手方コネクタがコネクタ５０の外方に飛出して、回路基板と接触してしまうことがない。
【００５７】
さらに、底板支持部２５は、前後方向に延在し、底板部２１より幅が狭い補強部２５ａを備え、該補強部２５ａは、外向屈曲部２７を形成する前の状態において、前後方向に関して実装用突出脚部１５に対応する位置に形成され、外向屈曲部２７を形成することによって、底板部２１の上に位置するようになっている。この場合、補強部２５ａが底板部２１よりも幅が狭い細長の板状部材として形成されているので、実装用突出脚部１５の長さを長く設定することができる。また、補強部２５ａによって底板部２１の強度を十分に高くすることができる。
【００５８】
さらに、底板部２１は、外向屈曲部２７を形成する前の状態において、前後方向に関して底板支持部２５より前方に形成され、外向屈曲部２７は、底板部２１を底板支持部２５に対して外向きに屈曲させることによって形成されるようになっている。そのため、コネクタ用シールドケース１０を容易に作成することができる。
【００５９】
さらに、底板部２１は、弾性的に変形して相手方コネクタをロックするロック部２２を備え、該ロック部２２は、先端が補強部２５ａの上面より上方に突出して相手方コネクタをロックする。この場合、補強部２５ａによってコネクタ用シールドケース１０の底上げがなされた状態となっているので、ロック部２２が上下動しても、ロック部２２の一部がコネクタ用シールドケース１０の外部に突出せず、たわみ長が確保できる。また、コネクタ用シールドケース１０の底上げをするために、ハウジング３０の一部を底板部２１上に延在させる必要もない。
【００６０】
さらに、底板部２１は先端に位置決凹部２４を備え、補強部２５ａは位置決凹部２４に嵌入される位置決凸部２５ｂを先端に備える。そのため、底板部２１の先端及び補強部２５ａの先端の位置決めが行われ、底板部２１は、強度が向上し、姿勢が安定する。
【００６１】
さらに、ハウジング３０は係止凹部３４を備え、底板部２１の先端は係止凹部３４に係止される。そのため、底板部２１は、先端がハウジング３０によって支持されるので、その姿勢が安定する。
【００６２】
さらに、実装用突出脚部１５は側壁部１２と同一面を形成する。そのため、実装用突出脚部１５は途中で屈曲されることなく、側壁部１２の下端縁から真っ直ぐになっているので、強度が向上する。
【００６３】
さらに、所定の形状に形成された一枚の金属板を屈曲して両端を接合することによって生じる接合部２３が、底板部２１及び底板支持部２５の中心を前後方向に延在する。そのため、接合部２３が一箇所となり、コネクタ用シールドケース１０を容易に作成することができるとともに、コネクタ用シールドケース１０の強度が向上する。
【００６４】
さらに、本実施の形態におけるコネクタ用シールドケース１０は、一枚の金属板から成り、構成が簡素であり、小型化されている。そのため、回路基板における実装面積を小さくすることができる。
【００６５】
なお、本発明は前記実施の形態に限定されるものではなく、本発明の趣旨に基づいて種々変形させることが可能であり、それらを本発明の範囲から排除するものではない。
【図面の簡単な説明】
【００６６】
【図１】本発明の実施の形態におけるコネクタ用シールドケースがハウジングに取付けられた状態を示す斜視図である。
【図２】本発明の実施の形態におけるコネクタ用シールドケースがハウジングに取付けられた状態を示す側断面図である。
【図３】本発明の実施の形態におけるコネクタ用シールドケースを挿入口側から観た斜視図である。
【図４】本発明の実施の形態におけるコネクタ用シールドケースを挿入口と反対側から観た斜視図である。
【図５】本発明の実施の形態におけるコネクタ用シールドケースの側断面図である。
【図６】本発明の実施の形態におけるコネクタ用シールドケースの下面図である。
【図７】本発明の実施の形態におけるコネクタ用シールドケースの屈曲が行われる前の状態を示す展開図である。
【図８】本発明の実施の形態におけるコネクタ用シールドケースの外向屈曲部を形成する前の状態を示す斜視図である。
【図９】本発明の実施の形態におけるコネクタ用シールドケースの外向屈曲部を形成する前の状態を示す側断面図である。
【図１０】本発明の実施の形態におけるコネクタ用シールドケースの外向屈曲部を形成する前の状態を示す下面図である。
【図１１】従来のレセプタクルコネクタの斜視図である。
【符号の説明】
【００６７】
１０    コネクタ用シールドケース
１１    天板部
１２    側壁部
１３    側部係止爪
１４    脚接続部
１５    実装用突出脚部
１５ａ    前方実装用突出脚部
１５ｂ    後方実装用突出脚部
１６    連結腕部
１７    把持用突出片
１８    上部係止爪
１９    筐体取付用突部
１９ａ    取付部材挿入孔
２１    底板部
２１ａ    傾斜部
２１ｂ    端辺
２２    ロック部
２３、３０４    接合部
２３ａ    かしめ部
２４    位置決凹部
２５    底板支持部
２５ａ    補強部
２５ｂ    位置決凸部
２５ｃ    幅広部
２７    外向屈曲部
２７ａ    線
２８    空スペース
３０、３０２    ハウジング
３１    奥壁部
３１ａ    端子挿入孔
３１ｂ    端子支持部
３２    舌部
３３    下腕部
３４    係止凹部
４１、３０６    端子
４２    連結部
４３    テール部
５０    コネクタ
３０１    レセプタクルコネクタ
３０３    シールドケース
３０５    突出脚部
３０７    弾性ロック片
３０８    屈曲部
【図１】
0004651521.tif 000002
【図２】
0004651521.tif 000003
【図３】
0004651521.tif 000004
【図４】
0004651521.tif 000005
【図５】
0004651521.tif 000006
【図６】
0004651521.tif 000007
【図７】
0004651521.tif 000008
【図８】
0004651521.tif 000009
【図９】
0004651521.tif 000010
【図１０】
0004651521.tif 000011
【図１１】
0004651521.tif 000012